(57)【要約】【構成】機械用基準発振器に、ルビジウムを用いた原子時計、又は原子周波数標準器１を使用して、機械の回転系の定速制御、又は位置決め制御を行い、制御系の信号処理をアナログ的又はデジタル的に実行する方法。【効果】機械用基準発振器に原子時計又は原子周波数標準器を使用する方法において、ルビジウム、セシウム、水素、水銀を使用した原子時計又は原子周波数標準器が持つ固有の優れた周波数安定度および周波数確度を利用することにより、機械の回転系を使用したデジタルデータ記録ならびに再生時、ジッタ発生が極端に減少し、かつ同期精度が格段に向上し、符号誤り訂正技術に頼っても発生する残留誤りの最小化に貢献出来、高品位で記録再生能力の飛躍的向上を図るデジタル記録再生システムおよびデジタル記録再生機器が実現できる。【選択図】　　　図３
2004030401.tif 000002
【特許請求の範囲】
【請求項１】
機械用基準発振器に、ルビジウムを用いた原子時計、又は原子周波数標準器を使用して、機械の回転系の定速制御、又は位置決め制御を行い、制御系の信号処理をアナログ的又はデジタル的に実行する方法。
【請求項２】
機械用基準発振器に、セシウムを用いた原子時計、又は原子周波数標準器を使用して、機械の回転系の定速制御、又は位置決め制御を行い、制御系の信号処理をアナログ的又はデジタル的に実行する方法。
【請求項３】
機械用基準発振器に、水素を用いた原子時計、又は原子周波数標準器を使用して、機械の回転系の定速制御、又は位置決め制御を行い、制御系の信号処理をアナログ的又はデジタル的に実行する方法。
【請求項４】
機械用基準発振器に、水銀を用いた原子時計、又は原子周波数標準器を使用して、機械の回転系の定速制御、又は位置決め制御を行い、制御系の信号処理をアナログ的又はデジタル的に実行する方法。
【発明の詳細な説明】
【０００１】
【発明の属する技術分野】
本発明は、機械の回転系に用いるクロック信号発生器、又はクロック信号発生装置に採用するルビジウム、セシウム、水素、水銀を使用した基準発振器を採用した機械の回転系の定速制御及び位置決め制御を行い、制御系の信号処理をアナログ的及びデジタル的に実行する方法に関するものである。
【０００２】
【従来の技術】
従来、機械系の回転系に用いる（コンピュータ周辺機器いわゆるデジタル記録再生機器および検査装置およびデジタルオーディオ・ビデオ機器及びアナログオーディオ機器等）定速制御及び位置決め制御を行う場合、制御系の信号処理をアナログ的及びデジタル的に取扱うサーボ用などのクロック信号発生器、又はクロック信号発生装置（クロックジェネレータ）の基準発振器には、一般的に水晶発振器が使用されていて、それにより周波数同期制御、又は周波数位相補足制御（ＰＬＬ制御）、又は周波数電圧変換制御、又は位置決め制御などを行い、制御系の信号処理をデジタル的又はアナログ的に実行する方法を使用していた。
【０００３】
その具体例としては、図８に示すように機械の回転系を使用したシステム又は機器本体７と、同機械の回転系制御機器に内蔵されたクロック信号発生器用基準用水晶発振器８とからなる機械の回転系機器があり、前記内蔵された基準用水晶発振器８を使用して機械の回転系機器に必要なクロック信号を発生させるものが存在している。
【０００４】
また、図９に示すように基準用水晶発振器内蔵、又は外部基準用水晶発振装置から基準信号入力可能な機械の回転系制御機器用クロック信号発生器または合成器又は装置９と、機械の回転系機器本体１０とからなる機械の回転系システムがあり、前記内蔵された基準用水晶発振器、又は外部基準用水晶発振装置から基準信号入力可能な機械の回転系制御用クロック信号発生器または合成器又は装置９により、機械の回転系機器に必要なクロック信号を発生させ、機械の回転系機器本体に供給するものが存在している。
【０００５】
また、図１０に示すように図８又は図９からの基準用水晶発振器内蔵、又は外部基準用水晶発振装置から基準信号入力可能な機械の回転系制御機器用クロック信号発生器または合成器又は装置と、モータ用制御系が位置制御ループ、速度制御ループ及び電流制御ループの３つからなる構成例と、モータ用制御系の回路構成がアナログ回路のアナログサーボおよびモータ用制御系の回路構成がデジタル回路のデジタルサーボがあり、デジタルサーボの中でプロセッサを用いて制御をソフトウエアで実行するものはソフトウエアサーボとも呼ばれる物と、モータ用制御系で制御されるモータで構成されるサーボモータが存在している。
【０００６】
また、図１１に示すように図８又は図９からの基準用水晶発振器内蔵、又は外部基準用水晶発振装置から基準信号入力可能な機械の回転系制御機器用クロック信号発生器または合成器又は装置と、モータ用インバータまたは電力増幅器に接続された誘導モータ又は同期モータとからなるものが存在している。
【０００７】
【発明が解決しようとする課題】
しかしながら、前記従来の水晶発振器を機械用基準発振器に使用し必要なクロック周波数を供給する場合は、水晶発振器では周波数安定度の低さから、制御上での制御データの微細なゆらぎ（ゆれ、ぶれ等）いわゆるジッタが生じており、機械の定速回転制御及び位置決め制御に悪影響を与え、これが回転ムラいわゆるジッタ（ワウ、フラッタなど）の発生の原因になっている事、またＣＤ及びＳＡＣＤ及びＤＶＤ等の光ディスク関連及びハードディスク及びＤＡＴ等の記録装置の記録密度向上の為には記録ピットの位置決めの高精度化が必要であり回転速度変動の高精度化が要求される事、いわゆる機械の回転系を使用したデジタル機器では、デジタル記録再生時データ欠落など符号誤りを生み出していることが、種々研究している中で発見した。すなわち機械の回転系を使用したデジタル記録再生機器では、データ欠落、符号の誤り発生の原因に、その内蔵または外部供給される機械の回転系制御用発振器の安定度および確度に大きな問題があることを見出した。そして発振器の安定度及び確度に比例して、符号誤り発生の軽減による高品位を要求するデジタル記録ならびに再生について飛躍的な能力の向上があることを見出した。そこで、水晶発振器に較べて、格段良い安定度及び確度を持つ、ルビジウム、セシウム、水素、水銀を使用した原子時計、又は原子周波数標準器を使用することにより、その周波数安定度および周波数確度に比例して、機械の回転系を使用したデジタル機器では、符号誤り及び符号変換誤りの飛躍的な軽減向上を図ったものである。すなわち、従来の水晶発振器ではデジタルデータ記録ならびに再生に必要な周波数安定度および周波数確度は不充分となり、デジタルデータ記録ならびに再生時のジッタが多く、符号誤りが発生し、符号誤り率が高く、必ずしも高品位の符号記録再生が得られず、符号誤り訂正技術によっても、符号誤りの軽減が不足し、符号誤り訂正後の残留誤りが多く、デジタルデータ記録ならびに再生に劣化が発生するという問題がある。
【０００８】
前記従来の水晶発振器の一般的な周波数安定度は、１００万分の５程度であり、かつ周波数確度は１万分の１程度、さらに周波数温度特性は１０万分の５程度から１００万分の５程度であり、１秒あたりの短期安定度は１０億分の１までである。一方デジタル記録装置として代表的なデスクマスタリング装置に使用する回転系でのジッタは１００万分の１未満の必要があり、必要な周波数安定度及び確度は１千万分の１未満を要求される。一方アナログテープレコーダ及びレコードプレーヤおよびレコードカッティングシステムなどアナログ機器のジッタ（ワウ、フラッタなど）ならびに回転許容差に必要な要求度は、１万分の１から１０万分の１未満であり、必要な周波数安定度及び確度は１００万分の１未満を要求される。
【０００９】
したがって、前記従来の水晶発振器の一般的な周波数安定度では、機械の回転系を使用したデジタル記録再生システムおよびデジタル記録再生機器によるデジタルデータ記録再生時ジッタ発生により、符号誤り率が高くかつ符号の誤り訂正及び検出能力が高くても、符号誤り訂正後の残留誤りが多く、このような符号の誤り訂正技術に頼り切ったとも言うべき従来の方法では、高品位、高精度を要求する記録再生能力に劣化が発生する事による問題がある。
【００１０】
さらに、前記従来の機械の回転系を使用したデジタル記録再生システムおよびデジタル記録再生機器は高い記録密度及び高速再生伝送能力の向上が唯一として設計実施され、例として磁気デスク記録再生装置では、面記録密度５０億ビット平方インチ以上及び伝送速度１００億ビット毎秒の実現があるが、それに伴い高度の符号誤り訂正技術が開発され実用化されてきたが、クロックの安定度および確度は検討されず、全くと言って良いほど等閑視されて来た問題がある。
従って、デジタル記録再生伝送技術の向上に伴い、高密度化および高速化される程、このクロックの安定度および確度に関する問題は大きくなる。従来の方法では、高密度化および高速処理の技術の発展に伴い、機械の回転系を使用したデジタル記録再生システム及びデジタル記録再生機器全体がクロックに関する安定度および確度の問題として、大きな障害が発生していく事は必至となる。
【００１１】
本発明は、このような事情に鑑み、前記従来の水晶発振器を基準発振器に使用する問題点を解決し、機械の回転系を使用したデジタルデータ記録再生時、ジッタ発生が極端に減少し、かつ同期精度が格段に向上し、符号誤り訂正技術に頼っても発生する残留誤りの最小化に貢献出来、記録再生処理能力の飛躍的な向上を図る機械の回転系を使用したデジタル記録再生機器に関するデータ記録再生に利用する方法を提供することを目的とするものである。
【００１２】
さらに、機械の回転系を使用したアナログシステム及びアナログ機器に使用した場合、ジッタ（ワウ、フラッタなど）の発生が極端に減少し、かつ測定限界以下になり、雑音の減少、アナログデータの分解能向上など記録再生特性が格段に向上し、高品位な再現性あるアナログデータの記録再生を実現できる方法を提供することを目的とするものである。
【００１３】
【課題を解決するための手段】
本発明は、前記課題の解決を図ったもので、次のような技術手段を採用した。請求項１記載の発明においては、機械用基準発振器に、ルビジウムを使用した原子時計、又は原子周波数標準器を使用し、請求項２記載の発明においては、機械用基準発振器に、セシウムを使用した原子時計、又は原子周波数標準器を使用し、請求項３記載の発明においては、機械用基準発振器に、水素を使用した原子時計、又は原子周波数標準器を使用し、請求項４記載の発明においては、機械用基準発振器に、水銀を使用した原子時計、又は原子周波数標準器を使用するという技術手段を採用した。これらの方法においては、原子時計又は原子周波数標準器が持つ固有の優れた周波数安定度および周波数確度を利用することにより、デジタルデータ記録再生伝送時、ジッタ発生が極端に減少し、かつ同期精度が格段に向上し、符号誤り訂正技術に頼っても発生する残留誤りの最小化に貢献出来、高品位な記録再生処理能力の飛躍的向上を図るデジタル機器に関するデータ記録再生に利用する方法を提供するものである。
例え話として、クロック発生器として、従来の水晶以下の発振器で制御された機械の回転系を使用したデジタル記録再生システムおよびデジタル記録再生機器は、その処理をそろばん計算に例えるならば、強地震下においてそろばん計算を行っているに等しく、本発明のクロック発生器として、ルビジウム、セシウム、水素、水銀を使用した原子時計又は原子周波数標準器を採用して、安定度および確度を上げていく事により、より安定した環境下で正確な計算を行えると同等ということになる。
【００１４】
さらに、機械の回転系を使用したアナログシステム及びアナログ機器に使用した場合、ジッタ（ワウ、フラッタなど）の発生が極端に減少し、かつ測定限界以下になり、雑音の軽減、アナログデータの分解能向上など記録再生特性が格段に向上し、高品位な再現性あるアナログデータ記録再生が実現出来る方法を提供するものである。
【００１５】
【発明の実施の形態】
本発明は、機械用基準発振器にルビジウムを使用した原子時計又は原子周波数標準器を採用することで、周波数安定度として１千億分の５未満および周波数温度特性として１００億分の５未満ならびに周波数確度として１００億分の５程度となり、機械の回転系を使用したデジタルデータ記録再生時に必要な周波数安定度および周波数確度を満足するもの。
【００１６】
機械用基準発振器にセシウムを使用した原子時計又は原子周波数標準器を採用することで、周波数安定度として１００兆分の５未満および周波数温度特性として１０兆分の１未満ならびに周波数確度として１兆分の１未満となり、機械の回転系を使用したデジタルデータ記録再生時に必要な周波数安定度および周波数確度を満足するもの。
【００１７】
機械用基準発振器に水素を使用した原子時計又は原子周波数標準器を採用することで、周波数安定度として１京分の２未満および周波数温度特性として１０兆分の１未満ならびに周波数確度として１兆分の１未満となり、機械の回転系を使用したデジタルデータ記録再生時に必要な周波数安定度および周波数確度を満足するもの。
【００１８】
機械用基準発振器に水銀を使用した原子時計又は原子周波数標準器を採用することで、周波数安定度として１京分の１未満および周波数温度特性として１０兆分の１未満ならびに周波数確度として１兆分の１未満となり、機械の回転系を使用したデジタルデータ記録再生時に必要な周波数安定度及び周波数確度を満足するものが実施の形態として上げられる。
【００１９】
【実施例】
以下、本発明の実施例を添付図面で詳細に説明する。
図１〜図４に示したフローチャート、図５〜図７に示した使用例及び改善効果比較例は、本実施例に係る機械用基準発振器に原子時計又は原子周波数標準器を使用する方法を示すものである。
【００２０】
１は原子時計又は原子周波数標準器であり、ルビジウムを使用したもの、又はセシウムを使用したもの、又は水素を使用したもの、又は水銀を使用したもののうちいずれかを使用し、機械用クロック信号発生器または合成器又は装置２に用いる基準信号を供給するものである。
【００２１】
２は機械用クロック信号発生器または合成器又は装置であり、原子時計又は原子周波数標準器から供給される基準信号をもとに、機械用クロック信号を発生させ、機械の回転系の制御用などに供給するものである。
【００２２】
３は機械の回転系を使用したデジタル記録再生システムまたはデジタル記録再生機器または検査装置であり、種類としては、コンピュータ用磁気記憶装置（デジタルテープレコーダ、ＤＡＴ装置、ハードディスク（ＨＤ）装置）、コンパクトディスク（ＣＤ）装置、デジタルビデオディスク（ＤＶＤ）装置、、ミニディスク（ＭＤ）装置、磁気光学（ＭＯ）装置、ディスク検査装置等機械の回転系を使用したデジタル記録再生システムおよびデジタル記録再生機器ならびに検査装置の全てに採用できる。
【００２３】
３は機械の回転系を使用したデジタルオーディオ及びデジタルビデオ機器であり、種類としてはコンパクトディスク（ＣＤ）レコーダ、ＣＤプレーヤ、デジタルビデオディスク（ＤＶＤ）レコーダ、ＤＶＤプレーヤ、スーパーオーディオコンパクトディスク（ＳＡＣＤ）レコーダ、ＳＡＣＤプレーヤ、デジタルオーディオテープ（ＤＡＴ）レコーダ、ミニディスク（ＭＤ）プレーヤ、ＭＤレコーダ、磁気光学（ＭＯ）レコーダ、テープメディアを使用したデジタルテープレコーダ、ＣＤカッティングマシン、ＣＤカッティングシステム、ＤＶＤカッティングシステム、ＳＡＣＤカッティングシステム、ハードディスク（ＨＤ）レコーダ、デジタルＶＴＲ、ＨＤＴＶ用デジタルＶＴＲなど機械の回転系を使用したデジタルオーディオシステムおよびデジタルビデオシステムおよびデジタルオーディオ機器ならびにデジタルビデオ機器の全てに採用できる。
【００２４】
３は機械の回転系を使用したアナログ記録再生システム及びアナログ記録再生機器であり、種類としては計測用アナログテープレコーダ、アナログテープレコーダ、レコードプレーヤ、レコードカッティングシステム及び機器、アナログＶＴＲなど機械の回転系を使用したアナログシステム及びアナログ機器の総てに採用できる。
【００２５】
４は内蔵された原子時計又は原子周波数標準器であり、ルビジウムを使用したもの、又はセシウムを使用したもの、又は水素を使用したもの、又は水銀を使用したもののうちいずれかを使用し、内蔵された機械用クロック信号発生器または合成器又は装置に基準信号を供給するものである。
【００２６】
５は内蔵された機械用クロック信号発生器または合成器又は装置であり、原子時計又は原子周波数標準器から供給される基準信号をもとに、機械制御用クロック信号を発生させ、デジタル記録再生システム及びデジタル記録再生機器及び検査装置及びアナログ記録再生システムならびにアナログ記録再生機器に供給するものである。
【００２７】
６は内蔵された機械の回転系を使用したデジタル記録再生システムまたはデジタル記録再生機器または検査機器であり、種類としては、コンピュータ用磁気記憶機器（デジタルテープレコーダ、ＤＡＴ機器、ハードディスク（ＨＤ）機器）、コンパクトディスク（ＣＤ）機器、デジタルビデオディスク（ＤＶＤ）機器、、ミニディスク（ＭＤ）機器、磁気光学（ＭＯ）機器、ディスク検査機器等機械の回転系を使用したデジタル記録再生システムおよびデジタル記録再生機器ならびに検査装置の全てに採用できる。
【００２８】
６は内蔵された機械の回転系を使用したデジタルオーディオ及びデジタルビデオ機器であり、種類としてはコンパクトディスク（ＣＤ）レコーダ、ＣＤプレーヤ、デジタルビデオディスク（ＤＶＤ）レコーダ、ＤＶＤプレーヤ、スーパーオーディオコンパクトディスク（ＳＡＣＤ）レコーダ、ＳＡＣＤプレーヤ、デジタルオーディオテープ（ＤＡＴ）レコーダ、ミニディスク（ＭＤ）プレーヤ、ＭＤレコーダ、磁気光学（ＭＯ）レコーダ、テープメディアを使用したデジタルテープレコーダ、ＣＤカッティングマシン、ＣＤカッティングシステム、ＤＶＤカッティングシステム、ＳＡＣＤカッティングシステム、ハードディスク（ＨＤ）レコーダ、デジタルＶＴＲ、ＨＤＴＶ用デジタルＶＴＲなど機械の回転系を使用したデジタルオーディオシステムおよびデジタルビデオシステムおよびデジタルオーディオ機器ならびにデジタルビデオ機器の全てに採用できる。
【００２９】
図３は、図１又は図２からのルビジウム、セシウム、水素、水銀を使用した原子時計又は原子周波数標準器内蔵、又は外部の原子時計又は原子周波数標準器からの基準信号入力可能な機械の回転系制御機器用クロック信号発生器または合成器又は装置と、モータ用制御系が位置制御ループ、速度制御ループ及び電流制御ループの３つからなる構成例と、モータ用制御系の回路構成がアナログ回路のアナログサーボおよびモータ用制御系の回路構成がデジタル回路のデジタルサーボがあり、デジタルサーボの中でプロセッサを用いて制御をソフトウエアで実行するものはソフトウエアサーボとも呼ばれる物と、モータ用制御系で制御されるモータで構成されるサーボモータに採用するものである。
【００３０】
図４は、図１又は図２からのルビジウム、セシウム、水素、水銀を使用した原子時計又は原子周波数標準器内蔵、又は外部の原子時計又は原子周波数標準器からの基準信号入力可能な機械の回転系制御機器用クロック信号発生器または合成器又は装置と、モータ用インバータまたは電力増幅器に接続される誘導モータ又は同期モータとからなるものに採用するものである。
【００３１】
以下、本発明の効果例を添付図面で説明する。
図５に示したグラフは、誤りに対する誤り訂正能力に関しての本発明による改良例と現状の誤り訂正能力との比較効果の例である。
【００３２】
図６は、本発明による例として、ＣＤ及びＳＡＣＤ及びＭＤ及びＤＶＤ等の光ディスクの原盤製造装置（マスタリング装置）の回転部を構成するＡＣサーボモータ及びエンコーダ内臓のエアスピンドルの回転制御に使用した例である。
【００３３】
図７は、本発明による使用例の図６によるジッタ及び安定度比較効果の例であり、現状の従来の水晶発振器を機械用基準発振器に使用した場合は、ジッタと安定度の均衡がとれない状態である。本発明のルビジウム、セシウムを使用した原子時計又は原子周波数標準器を機械用基準発振器に使用した場合、ジッタに関しては１桁以上の改善があり、安定度に関しては、５桁から９桁以上の改善があり、ジッタと安定度の均衡が完全に取れ、かつ飛躍的な改善が実現できる例である。
【００３４】
【発明の効果】
本発明は、以上の構成を採用した結果、次のような効果を得ることができる。機械用基準発振器に原子時計又は原子周波数標準器を使用する方法において、ルビジウム、セシウム、水素、水銀を使用した原子時計又は原子周波数標準器が持つ固有の優れた周波数安定度および周波数確度を利用することにより、機械の回転系を使用したデジタルデータ記録ならびに再生時、ジッタ発生が極端に減少し、かつ同期精度が格段に向上し、符号誤り訂正技術に頼っても発生する残留誤りの最小化に貢献出来、高品位で記録再生能力の飛躍的向上を図るデジタル記録再生システムおよびデジタル記録再生機器が実現できる。
【００３５】
さらに、機械の回転系を使用したアナログシステム又はアナログ機器に使用した場合、ジッタ（ワウ、フラッタなど）の発生が極端に減少し、かつ測定限界以下になり、雑音の軽減、アナログデータの分解能向上など記録再生特性が格段に向上し、高品位な再現性のあるアナログデータを記録再生できる方法が実現できる。
【図面の簡単な説明】
【図１】ルビジウム、セシウム、水素、水銀を使用した原子時計又は原子周波数標準器を使用し、機械の回転系を使用したデジタル記録再生システム及びデジタル記録再生機器及び検査機器及びアナログ記録再生システムならびにアナログ記録再生機器を示すブロック図である。
【図２】ルビジウム、セシウム、水素、水銀を使用した原子時計又は原子周波数標準器が内蔵された機械の回転系を使用したデジタル記録再生システム及びデジタル記録再生機器及び検査機器及びアナログ記録再生システムならびにアナログ記録再生機器を示すブロック図である。
【図３】ルビジウム、セシウム、水素、水銀を使用した原子時計又は原子周波数標準器を使用したサーボモータのフロー図である。
【図４】ルビジウム、セシウム、水素、水銀を使用した原子時計又は原子周波数標準器を使用した誘導モータ及び同期モータのフロー図である。
【図５】誤りに対する誤り訂正能力に関しての比較効果を示すの一例のグラフ図である。
【図６】ルビジウム、セシウム、水素、水銀を使用した原子時計又は原子周波数標準器を使用した一例の、光ディスクの原盤製造装置（マスタリング装置）の回転部を構成するＡＣサーボモータ及びエンコーダ内臓しているエアスピンドルの回転制御を実施するフロー図の例である。
【図７】本発明による使用例の図６と現状のジッタ及び安定度比較効果の例である。
【図８】従来の機械用基準発振器にクロック用水晶発振器が内蔵された、機械の回転系を使用したデジタル記録再生システム又はデジタル記録再生機器又は検査機器又はアナログ記録再生システム又はアナログ記録再生機器を示すブロック図である。
【図９】従来の機械用基準発振器に水晶発振器内蔵、又は外部基準用水晶発振器からの基準信号入力可能な機械用クロック信号発生装置と、外部から機械用クロック信号供給による駆動可能な機械の回転系を使用したデジタル記録再生システム又はデジタル記録再生機器又はアナログ記録再生システム又はアナログ記録再生機器を示すブロック図である。
【図１０】従来の機械用基準発振器に水晶発振器内蔵、又は外部基準用水晶発振器から基準信号入力可能な機械の回転系制御機器用クロック信号発生器または合成器又は装置と、アナログサーボまたはデジタルサーボを採用したサーボモータのフロー図である。
【図１１】従来の機械用基準発振器に水晶発振器内蔵、又は外部基準用水晶発振器から基準信号入力可能な機械の回転系制御機器用クロック信号発生器または合成器又は装置と、モータ用インバータまたは電力増幅器に接続された誘導モータ又は同期モータとからなるフロー図である。
【符号の説明】
１‥‥ルビジウム、セシウム、水素、水銀を使用した原子時計又は原子周波数標準器
２‥‥機械用クロック信号発生器または合成器又は装置および分配増幅器
３‥‥機械の回転系を使用したデジタル記録再生システム及びデジタル記録再生機器及び検査機器及びアナログ記録再生システムならびにアナログ記録再生機器
４‥‥内蔵されたルビジウム、セシウム、水素、水銀を使用した原子時計又は原子周波数標準器
５‥‥内蔵された機械用クロック信号発生器または合成器又は装置及び分配増幅器
６‥‥機械の回転系を使用したデジタル記録再生システム及びデジタル記録再生機器及び検査機器及びアナログ記録再生システムならびにアナログ記録再生機器
７‥‥機械の回転系を使用したデジタル記録再生システム及びデジタル記録再生機器及び検査機器及びアナログ記録再生システムならびにアナログ記録再生機器
８‥‥内蔵された機械用基準発振器に従来の水晶発振器を使用した機械用クロック信号発生器または合成器又は装置および分配増幅器
９‥‥機械用基準発振器に従来の水晶発振器を使用した機械用クロック信号発生器または合成器又は装置および分配増幅器
１０‥‥機械の回転系を使用したデジタル記録再生システム及びデジタル記録再生機器及び検査機器及びアナログ記録再生システムならびにアナログ記録再生機器
【図１】
2004030401.tif 000003
【図２】
2004030401.tif 000004
【図３】
2004030401.tif 000005
【図４】
2004030401.tif 000006
【図５】
2004030401.tif 000007
【図６】
2004030401.tif 000008
【図７】
2004030401.tif 000009
【図８】
2004030401.tif 000010
【図９】
2004030401.tif 000011
【図１０】
2004030401.tif 000012
【図１１】
2004030401.tif 000013